(57)【要約】【課題】  機動性があり、且つショッピングの楽しみを阻害することがなく、しかも老人等の大人でも子供でも簡単に座ることができるようにする。【解決手段】  左右側壁３・４、底壁５並びに左右側壁３・４間に設けられた前後ゲート６・７および中間ゲート８で構成された載置部２と、載置部２を支持する支持部９と、支持部９の下部に取り付けられた複数のキャスター１１と、載置部２の後側に設けられた把持部１２を備えたものであって、載置部２は、前ゲート６と中間ゲート８との間が子供と大人の兼用座席部２Ａとなされ、後側が買い物カゴＢを置くカゴ置き部２Ｂとなされている。【選択図】  図１
2014201243.tif 000002
【特許請求の範囲】
【請求項１】
左右側壁、底壁並びに左右側壁間に設けられた前後ゲートおよび中間ゲートで構成された載置部と、載置部を支持する支持部と、支持部の下部に取り付けられた複数のキャスターと、載置部の後側に設けられた把持部を備えたショッピングカートであって、載置部は、前ゲートと中間ゲートとの間が子供と大人の兼用座席部となされ、後側が買い物カゴを置くカゴ置き部となされ、各ゲートは板状または網板状であり、中間ゲートと後ゲートはそれらの上縁部がヒンジを介して左右側壁の上部に支持されることで上縁部を支点として前方に揺動自在となされ、前ゲートはその下縁部がヒンジを介して左右側壁の下部に回動自在に取り付けられ、且つバネによって左右側壁間に起立状態で保持されるようになされている、ショッピングカート。
【請求項２】
兼用座席部にシートベルトが取り付けられている、請求項１記載のショッピングカート。
【請求項３】
兼用座席部の底壁前部に子供の足を入れる左右一対の足挿入口が形成されている、請求項１または請求項２記載のショッピングカート。
【請求項４】
支持部の前部に足を載せるステップが設けられている、請求項１〜請求項３のうちのいずれか一項記載のショッピングカート。
【請求項５】
支持部は、前後方向に伸び、側面から見て上側に屈曲した左右一対の主フレームと、左右の主フレーム間に架設された複数の中間フレームとで構成され、キャスターは左右の主フレームの両端に取り付けられており、中間フレームは少なくとも左右の主フレームの前部と載置部の下方に架設され、載置部下方の中間フレーム上に載置部をその下方から支持する一または複数の支持フレームが立設されている、請求項１〜請求項４のうちのいずれか一項記載のショッピングカート。
【請求項６】
把持部が上側に膨出したアーチ状となされている、請求項１〜請求項５のうちのいずれか一項記載のショッピングカート。
【発明の詳細な説明】
【技術分野】
【０００１】
本発明は、主にスーパーマーケットやホームセンター等の比較的広い床面積を有する店舗において買い物をする際に用いられるショッピングカートに関する。
【背景技術】
【０００２】
一般的にショッピングカートは、全体がフレームで構成され、下部に自在キャスターを備え、上部には買い物カゴを載せるカゴ置き部と、カゴ置き部の後方に設けられた把持部を有する一段式のものや、下部にもカゴ置き部を備えた二段式のもの、或いは更に前述した上部のカゴ置き部の後側に幼児を座らせる座席部を備えたものや、老人等の大人がショッピング中に疲れた場合に腰かけて休憩する座席部を設けたもの、および車椅子を連結するようにしたショッピングカートも知られている。
【先行技術文献】
【特許文献】
【０００３】
【特許文献１】特開平８−２４４６１９号公報
【特許文献２】特開平１１−７８８９９号公報
【特許文献３】特開２００２−２０５６５３号公報
【特許文献４】特開２００２−１９６１３号公報
【特許文献５】特開２００９−１９０７１６号公報
【特許文献６】実用新案登録第３０３４０１５号公報
【発明の概要】
【発明が解決しようとする課題】
【０００４】
前述した従来のショッピングカートのうち、車椅子と連結するものは、実際の使用において、店内の通路が狭い場合には左折・右折が行い難く、また店内が混雑している場合に人混みの中をぬうように走行するのが難しく機動性に乏しいという問題があった。幼児または老人等の大人が座れるショッピングカートは、該カートの進行方向と逆方向に人が座る座席構成となっていたため、座った本人はカートの前方が全く見えず、不安を感じたり、ショッピングの楽しみが阻害されるという不都合があり、またこの種の人が乗るショッピングカートは、幼児か大人のどちらか専用であって、用途が限定的であるという不都合があり、そのため店舗では、幼児用のショッピングカートと老人等大人用のショッピングカートの両方を店頭に並べておく必要があり、そのためショッピングカートの保管スペースが広がり、店頭の入口が狭くなってしまうという問題もあった。
【０００５】
またこの他、老人等の大人が前方に向かって腰掛けるカートも知られているが、該カートは買い物カゴを載せるカゴ台部がないものであって、老人等が個人で所有する所謂、手押し車であり、店内での買い物に供されるものではなかった。
【０００６】
本発明の目的は、機動性があり、且つショッピングの楽しみを阻害することがなく、しかも老人等の大人でも子供でも簡単に座ることができるショッピングカートを提供することにある。
【課題を解決するための手段】
【０００７】
請求項１記載の本発明は、左右側壁、底壁並びに左右側壁間に設けられた前後ゲートおよび中間ゲートで構成された載置部と、載置部を支持する支持部と、支持部の下部に取り付けられた複数のキャスターと、載置部の後側に設けられた把持部を備えたショッピングカートであって、載置部は、前ゲートと中間ゲートとの間が子供と大人の兼用座席部となされ、後側が買い物カゴを置くカゴ置き部となされ、各ゲートは板状または網板状であり、中間ゲートと後ゲートはそれらの上縁部がヒンジを介して左右側壁の上部に支持されることで上縁部を支点として前方に揺動自在となされ、前ゲートはその下縁部がヒンジを介して左右側壁の下部に回動自在に取り付けられ、且つバネによって左右側壁間に起立状態で保持されるようになされているものである。
【０００８】
請求項２記載の本発明は、前記請求項１記載のショッピングカートについて、兼用座席部にシートベルトが取り付けられているものである。
【０００９】
請求項３記載の本発明は、前記請求項１または請求項２記載のショッピングカートについて、兼用座席部の底壁前部に子供の足を入れる左右一対の足挿入口が形成されていることを技術的特徴とするものである。
【００１０】
請求項４記載の本発明は、前記請求項１〜請求項３のうちのいずれか一項記載のショッピングカートについて、支持部の前部に足を載せるステップが設けられているものである。
【００１１】
請求項５記載の本発明は、前記請求項１〜請求項４のうちのいずれか一項記載のショッピングカートについて、支持部は、前後方向に伸び、側面から見て上側に屈曲した左右一対の主フレームと、左右の主フレーム間に架設された複数の中間フレームとで構成され、キャスターは左右の主フレームの両端に取り付けられており、中間フレームは少なくとも左右の主フレームの前部と載置部の下方に架設され、載置部下方の中間フレーム上に載置部をその下方から支持する一または複数の支持フレームが立設されていることを技術的特徴とするものである。
【００１２】
請求項６記載の本発明は、前記請求項１〜請求項５のうちのいずれか一項記載のショッピングカートについて、把持部が上側に膨出したアーチ状となされているものである。
【発明の効果】
【００１３】
本発明のショッピングカートは、子供か老人等の大人のいずれか専用であった従来のショッピングカートと異なり、兼用座席部に子供でも老人等でも乗せることができ、そのため店頭に二種類のショッピングカートを置く必要がなくなり、店頭の入口におけるショッピングカートの保管スペースの削減を図ることが可能となる。
【００１４】
また、老人や障害者等の利用にあたって、従来のように別途車椅子を連結させる必要もないため、店内の通路が狭い場合や店内が混雑している場合でも容易に操作することが可能となる。
【００１５】
また、本発明のショッピングカートは、前部に前述した兼用座席部が設けられ、子供や老人等の大人は当該ショッピングカートの進行方向を向いて座ることができるため、不安を感じたりすることがなく、また当該ショッピングカートの進行に伴って前方から近づいて来る陳列商品を見ながらショッピングを楽しむことができるという格別の利点を有する。
【００１６】
そして、本発明のショッピングカートによれば、前部に子供または老人等が容易に腰掛けることができ、その後方の買い物カゴには当該ショッピングカートを押す人が購入する商品を随時入れてショッピングをスムースに行うことが可能となる。
【００１７】
この他、兼用座席部の底壁前部に子供の足を入れる左右一対の足挿入口が形成されている本発明のショッピングカートによれば、活動的な子供の足の動きが制限されるため、子供をより安定させた状態で載せることができる。
【図面の簡単な説明】
【００１８】
【図１】本発明の実施形態に係るショッピングカートの斜視図である。
【図２】同実施形態に係るショッピングカートの側面図である。
【図３】図２のショッピングカートの使用状態を示す側面図である。
【図４】同実施形態に係るショッピングカートにおける載置部のフレーム構成を示す平面図である。
【図５】同実施形態のショッピングカートの平面図である。
【発明を実施するための形態】
【００１９】
次に、本発明の実施形態を図面にしたがって説明するが、本発明はかかる実施形態に限定されるものではない。
【００２０】
図１〜図３および図５に示すように、ショッピングカート１は、左右側壁３・４、底壁５並びに左右側壁３・４間に設けられた前後ゲート６・７および中間ゲート８で構成された載置部２と、載置部２を支持する支持部９と、支持部９の下部に取り付けられた合計４つのキャスター１１と、載置部２の後側に設けられた把持部１２を備えたものであって、載置部２は、前ゲート６と中間ゲート８との間が子供と大人の兼用座席部２Ａとなされ、後側が買い物カゴＢを置くカゴ置き部２Ｂとなされ、各ゲート６〜８は本実施形態では板状であり、中間ゲート８と後ゲート７はそれらの上縁部がヒンジ１３を介して左右側壁３・４の上部に支持されることで上縁部を支点として前方に揺動自在となされ、前ゲート６はその下縁部がヒンジ１４を介して左右側壁３・４の下部に回動自在に取り付けられ、且つバネ（図示せず）によって左右側壁３・４間に起立状態で保持されるようになされている。
【００２１】
また、図５に示すように、本実施形態では、兼用座席部２Ａにシートベルト１５が取り付けられ、更に兼用座席部２Ａの底壁５前部に子供の足を入れる左右一対の方形な足挿入口１６が形成されている。
【００２２】
図１〜図３に示すように、前記支持部９は、本実施形態では、前後方向に伸び、側面から見て上側に屈曲した左右一対の主フレーム９ａと、左右の主フレーム９ａ間に架設された合計４本の中間フレーム９ｂ〜９ｅとで構成され、キャスター１１は左右の主フレーム９ａの両端に取り付けられている。
【００２３】
前記中間フレーム９ｂ〜９ｅは、より詳細には、本実施形態において、左右の主フレーム９ａの前部（９ｂ）と主フレーム９ａの屈曲部（９ｄ）とこれらの中間（９ｃ）と左右の主フレーム９ａの後端部（９ｅ）にそれぞれ架設され、また載置部２の下方の中間フレーム９ｃ上には載置部２をその下方から支持する二本の支持フレーム９ｆが立設されている。また、支持部９の前部の中間フレーム９ｂには足を載せるステップ２０が前方に突出して設けられている。
【００２４】
この他、前記把持部１２は、本実施形態では、載置部２の後部において、上側に膨出したアーチ状に形成されている。
【００２５】
また、本実施形態では、左右側壁３・４は、前後方向に伸びる上下フレーム部材１７Ａ・１７Ｂとこれらフレーム部材１７Ａ・１７Ｂ間に設けられた中間フレーム部材１７Ｃと後フレーム部材１７Ｄとで構成されている。
【００２６】
また、前記把持部１２は、本実施形態では、載置部２の後部に位置する前記後フレーム部材１７Ｄから上側に膨出したアーチ状に形成されている。
【００２７】
図４および図５に示すように、前記底壁５は、本実施形態では、前後方向に伸びる多数の棒状部材１８とこれら棒状部材１８を大きく三つに区切る仕切りフレーム１９と三本の横断棒状部材２１とこれら部材１８・１９・２１上に固定されたＦＲＰ製の底板部材２２とで構成されている。
【００２８】
また、前記足挿入口１６は、より詳細には、本実施形態において、前記横断棒状部材２１と前記ヒンジ１４との間において、前部突出棒状部材２３によって形成されている。
【００２９】
図２に点線で示すように、本実施形態に係るショッピングカート１の不使用時には、前方のショッピングカート１の後方から同カートを入れることで、後ゲート７と中間ゲート８がヒンジ１３を介して上方に揺動し、その結果、後側のカート１が前側のカート１内に重ねられる。
【産業上の利用可能性】
【００３０】
本発明のショッピングカートは、操作性を損なうことなく、子供でも老人等の大人でも乗せて安心で楽しくショッピングが行えるため、幅広い利用が期待できる。
【符号の説明】
【００３１】
１  ショッピングカート
２  載置部
３・４  左右側壁
５  底壁
６  前ゲート
７  後ゲート
８  中間ゲート
９  支持部
１１  キャスター
１２  把持部
１３・１４  ヒンジ
１６  足挿入口
【図１】
2014201243.tif 000003
【図２】
2014201243.tif 000004
【図３】
2014201243.tif 000005
【図４】
2014201243.tif 000006
【図５】
2014201243.tif 000007